(57)【要約】パラメータ蓄積メモリは、過去の患者から患者の生理的情報並びに造影剤到達又は取り込み時間を格納する。トリガ又は同期ウィンドウプロセッサは、過去の患者の情報に基づいてトリガウィンドウを設定し、即ち到達時間を推定する。撮像領域中に配置される被検体に造影剤が注入される。撮像領域中の造影剤の到達は、リアルタイムの追跡方法で検出される。診断撮像は、ウィンドウ内の造影剤到達の検出とトリガウィンドウの終端のうちの先に生ずる方のときに始まる。被検体に対する取り込み時間は、メモリに格納されたものと比較され、診断を提案するために解析される。
2004538080.tif 000002
【特許請求の範囲】
【請求項１】
検査領域中に被検体の関心領域を配置する段階と、
前記被検体の身体的パラメータをパラメータデータベースに入力する段階と、
前記被検体についての画像診断トリガ情報を決定するよう前記パラメータデータベースにアクセスする段階と、
前記被検体に造影剤を注入する段階と、
前記造影剤の関心領域中への到達を監視する段階と、
前記造影剤の到達の検出及び前記決定されたトリガ情報に応じて血管造影撮像スキャンを開始する段階と、
前記パラメータデータベースを更新する段階とを含む、
血管造影撮像方法。
【請求項２】
前記パラメータデータベースを更新するパラメータを決定するよう血管造影画像を解析する段階を更に含む、請求項１記載の方法。
【請求項３】
前記決定されたトリガ情報は、時間的なトリガウィンドウを含み、前記ウィンドウ内では前記血管造影撮像スキャンの開始が許される、請求項１又は２記載の方法。
【請求項４】
前記関心領域中で前記造影剤の到達の検出がされない場合は、前記撮像スキャンを前記トリガウィンドウの終端で開始する段階を更に含む、請求項３記載の方法。
【請求項５】
前記造影剤の投影される到達時間に影響を与える生理的状態を検出するよう前記造影剤の注入の前に付随的な血管造影スキャンを行う段階を更に含む、請求項３又は４記載の方法。
【請求項６】
検出された生理的状態に応じて前記トリガウィンドウを調整する段階を更に含む、請求項５記載の方法。
【請求項７】
前記被検体の造影剤到達時間ｔD、動脈位相造影剤時間ｔA、及び静脈位相造影剤時間ｔVの値を決定する段階と、
前記決定されたｔD、ｔA、及びｔVの値を前記パラメータデータベースに格納された値と比較する段階と、
前記被検体からの前記決定された値及び前記パラメータデータベースからの前記格納された値に基づいて前記被検体の診断提案を行う段階とを更に含む、請求項１乃至６のうちいずれか一項記載の方法。
【請求項８】
前記パラメータは、
前記被検体の年齢、
前記被検体の性別、
前記被検体の体重、及び、
前記被検体の血管の異常を含む、請求項１乃至７のうちいずれか一項記載の方法。
【請求項９】
前記造影剤の到達を監視する段階は、
蛍光透視画像追跡、
ｋ空間信号追跡、
選択中央ｋ空間値の反復的サンプリング、
収集されたデータセットの部分の反復的サンプリング、のうちの少なくとも１つを含む、請求項１乃至８のうちいずれか一項記載の方法。
【請求項１０】
前記被検体の関心領域中の血流速度に敏感なパイロット画像を生成する段階と、
前記関心領域中の血管の閉塞を診断する段階とを更に含む、請求項１乃至９のうちいずれか一項記載の方法。
【請求項１１】
ダイナミック取り込み磁気共鳴血管造影撮像スキャン及びダイナミック取り込みコンピュータ断層撮影スキャンのいずれかが、前記閉塞の上流且つ前記注入された造影剤の下流で行われる、請求項１０記載の方法。
【請求項１２】
他の被検体の複数の以前の造影剤で強調された血管造影撮像スキャンから造影剤取り込み時間が格納されるパラメータ蓄積メモリ手段と、
前記造影剤の検出が成功したことを確認し、前記取り込み時間を前記パラメータ蓄積メモリ手段へロードする造影剤検出手段と、
受信したデータ信号を被検体の画像表現へ再構成する再構成手段と、
前記造影剤の到達の検出及び前記パラメータ蓄積メモリ手段からの造影剤取り込み時間に応じて血管造影撮像スキャンを開始する手段とを含む、診断撮像装置。
【請求項１３】
前記パラメータ蓄積メモリ手段は、
それ自体のパラメータ蓄積メモリ手段へ少なくとも１つの他の診断撮像装置のパラメータ蓄積メモリ手段を統合するダウンロード部を含む、請求項１２記載の診断撮像装置。
【請求項１４】
前記再構成された画像表現から動脈到達時間ｔA及び静脈到達時間ｔVを計算する画像解析器を更に含む、請求項１２又は１３記載の診断撮像装置。
【請求項１５】
造影剤で強調された診断画像を生成する手段と、
前記パラメータメモリ手段に格納された複数の患者の過去の診断画像の造影剤関連のパラメータ及び対応する診断と、
現在の患者の造影剤関連のパラメータを決定する手段と、
前記現在の患者のパラメータを過去の患者の診断画像からのパラメータと比較する手段と、
診断提案を提供するために前記過去の患者パラメータと前記現在の患者パラメータを解析する手段とを更に含む、請求項１２乃至１４のうちいずれか一項記載の診断撮像装置。
【請求項１９】
少なくとも同様の生理的特徴を有する患者の前記格納された造影剤到達時間から投影された造影剤到達ウィンドウを決定する手段を更に含み、
前記開始手段は、
（１）前記造影剤到達ウィンドウ外での血管造影撮像スキャンの開始を阻止すること、及び
（２）前記投影された造影剤到達ウィンドウの終端において前記造影剤撮像スキャンを開始すること、の少なくとも一方を行う、請求項１４乃至１８のうちいずれか一項記載の診断撮像装置。
【発明の詳細な説明】
【技術分野】
【０００１】
本発明は、診断イメージング法の分野に関連する。本発明は、磁気共鳴及びコンピュータ断層撮影血管造影法等の造影剤で強調された血管造影法に関して特に適用され、特にこれを参照して説明される。しかしながら、本発明は、他の種類の磁気共鳴フローイメージングや他の態様の造影剤で強調されたイメージングにも適用可能である。
【背景技術】
【０００２】
磁気共鳴血管造影法は、体の血管を見るために用いられる。被検体の血液中の双極子は関心となる血管を通って広がるにつれて励起され画像化される。医師は、流れが遅い点、画像中の血管内の部分的な閉塞、完全な閉塞等の様々な循環系の異常を見つけるべく画像を分析する。
【０００３】
磁気共鳴血管造影法では、撮像されている双極子は動いている。有利には、双極子は、血流に沿って進み、撮像領域中を動く。磁気共鳴血管造影イメージングは、血液に注入される造影剤によって向上されうる。磁気共鳴画像中で他の組織に対して非常によく造影剤を見せるシーケンスが選択される。従って、体の血管を見るのに非常に有用である。
【０００４】
しばしば、造影剤は撮像領域の外側の被検体の領域へ注入される。注入された造影剤、即ちボーラスは、撮像領域に到達する前に一定の期間に亘って血流中を進行する。造影剤が検査領域中でピークの濃度を有する時間枠、即ち最適の画像が捕捉されうる時間時間枠は小さいため、ボーラスの到達のタイミングは重要である。ボーラスの移動時間には、造影剤の注入に対する関心領域の位置、被検体の年齢、性別、及び体重、並びに、血管中の閉塞等の血管の異常といった多くの要因が関与する。
【０００５】
ボーラスの到達時間を推定する従来の方法は、全ての患者に対して到達時間を適切に予測するものではない。テストボーラス法では、少量の造影剤、即ちテストボーラスが患者に注入される。関心領域は、一秒間に約一枚の速度で関心領域のリアルタイムの蛍光透視画像を撮影することによって監視される。テストボーラスが蛍光透視画像中に現れるまでの時間が記録される。２回目の注射が、今度は十分なボーラスを用いて、被検体に投与される。操作者は、診断スキャンを始める前に、テストボーラスが関心領域に達するのにかかった時間だけ待つ。
【０００６】
テストボーラス法は、簡単で直接的であるが、欠点がある。実際上は、この方法を用いた試行の２０乃至２５％がテストボーラスの検出に失敗する。テストボーラスが検出されなければ、操作者は一般的に自分の経験に基づいて主観的な推測を行う。更に、テストボーラス法は、造影剤の余分な注射を必要とする。これは、患者の不快感を高めるものであり、テストボーラスは関心領域を通って進むときに部分的に吸収され、最終画像中のコントラスト及び精細度を低下させる。更に、テストボーラスについての蛍光透視法による監視は、約１フレーム毎秒の低い時間的分解能であるため、予想される遅延時間の正確さを制限する。更に、血管内ボーラス濃度が著しく異なることにより、テストボーラスのタイミングパラメータは同じでないことがある。スキャンの間又はスキャン中の患者の動きもまた、テストボーラスと実際のボーラスがどのように被検体を通って動くかに影響を与えうる。
【０００７】
他の方法は、単一の大きいボーラスのリアルタイムの追跡を含む。一回の十分な強さの注射が患者に与えられ、検査は造影剤の到達について監視される。ボーラスを追跡する１つの方法は、ｋ空間の一本のラインを磁気共鳴信号強度の変化について繰り返し監視することを必要とする。ｋ空間中、信号の強度は、関心領域がボーラスを受け取ると急上昇する。この方法の問題は、基礎となる画像がないことと、身体的な動きに対する感度を含む。追跡信号は画像を発生しないため、操作者は移動するボーラスを見ることができず、撮像の開始を決定するためには機械にのみ頼らねばならないか直感に頼らねばならない。動きもまた、この方法に影響を与えうる。スキャン中の僅かな動きは、診断画像を誤ってトリガしうる。例えば、監視されている関心領域へ脂肪の双極子を動かすことは、信号強度を上昇させる。
【０００８】
リアルタイムの蛍光透視画像は、ボーラスなしに使用されうる。この方法では、操作者が蛍光透視画像を見て、ボーラスが到達したと思ったときに、操作者によって診断画像データ捕捉が開始される。この方法の欠点は、その低い時間的な分解能と主観的なトリガ操作を含む。一般的には、時間的な分解能は、１フレーム毎秒のオーダである。しかしながら、時間的な分解能は、画質を犠牲にして低下されうる。
【０００９】
他の方法は、ｋ空間の中心をｋ空間の他の部分よりも頻繁にサンプリングするＴＲＩＣＫＳ方法である。結果として、信号の水平域を捉える確率は高くなる。しかしながら、ｋ空間の中心でない部分のサンプリング不足（ｕｎｄｅｒｓａｍｐｌｉｎｇ）は、高周波数情報及び中間周波数情報を失うことを意味する。この方法は、平坦域の期間を捉えることを保証せず、ボーラスを完全に逃しうるため、中心ｋ空間の「ブラインド」な過剰サンプリング（ｏｖｅｒｓａｍｐｌｉｎｇ）であると考えられうる。
【００１０】
本発明は、上述の及び他の問題を克服する新規且つ改善された方法及び装置を提供する。
【発明の開示】
【課題を解決するための手段】
【００１１】
本発明の１つの面によれば、血管造影撮像の方法が提供される。被検体の関心領域は検査領域中に配置される。被検体の身体的パラメータはパラメータデータベースに入力される。トリガ情報は、パラメータデータベースに以前に入力された情報から計算される。造影剤は患者に注入され、造影剤が関心領域に到達することについての監視が開始される。
【００１２】
本発明の他の面によれば、診断撮像装置が提供される。パラメータ蓄積（ｃｏｍｐｉｌａｔｉｏｎ）メモリは、他の被検体の複数の以前のスキャンからの造影剤取り込み時間を格納する。造影剤検出手段は、造影剤の検出が成功したことを検出し、取り込み時間をパラメータ蓄積メモリ手段にロードする。再構成手段は、受信したデータ信号を被検体の画像表現へ再構成する。血管造影撮像スキャンを開始する手段は、造影剤の到達の検出に応じて、及び、過去の造影剤取り込み時間に応じて血管造影撮像スキャンを開始する。
【発明の効果】
【００１３】
本発明の１つの利点は、よりロバストなボーラス検出にある。他の利点は、将来のスキャンを改善するため、知識が蓄積され、知識が用いられることにある。他の利点は、磁気共鳴血管造影画像を生成する前に血管の異常を探す能力にある。他の利点は、患者の生理的状態に関連する検出された撮像パラメータに基づく臨床診断を行う能力にある。本発明の更なる利益及び利点については、望ましい実施例を読み理解することにより当業者にとって明らかとなろう。
【発明を実施するための最良の形態】
【００１４】
本発明は、様々な構成要素及び構成要素の配置、並びに、様々な段階及び段階の配置の形をとりうる。図面は、望ましい実施例を図示するためだけのものであって、本発明を制限するものと解釈されるべきではない。
【００１５】
図１を参照するに、磁気共鳴診断撮像装置は、大動脈や頸動脈といった血管を含む患者の内部領域の体積（ｖｏｌｕｍｅｔｒｉｃ）画像を生成する。診断撮像装置は、図示の例では、ソレノイド型の望ましくは超伝導の磁石１０を含む水平磁場磁気共鳴撮像システムである。オープン型の垂直磁場磁石組立体もまた適用可能であることが理解されるべきである。水平磁場配置は、一般的には、より高い磁場と、より急な傾斜磁場を与える。しかしながら、オープンシステムは、インターベンショナル手術及び他の適用において、改善された患者へのアクセス及び可能な適用を提供する。磁石１０は、そのボアの軸に沿って撮像領域を通る水平な磁場を発生する。患者支持台１４は、アイソセンタ又はボアにおいて撮像領域１２中の被検体１６の関心領域の位置へボアの中へ及びボアの外へ可動である。撮像のために、少なくとも１つの傾斜コイル組立体２０は、主磁場を空間エンコードするために傾斜磁場を主磁場に重畳する。傾斜組立体２０は、傾斜増幅器２２に取り付けられる。増幅器２２は、傾斜磁場パルス制御器２４からのパルス信号を増幅する。
【００１６】
全身ＲＦコイル３０は、撮像領域１２への送信用の望ましくはディジタル送信器であるＲＦパルス送信器３２からＲＦパルスを受け取る。ＲＦ送信器３２は、ＲＦパルス制御器３４からＲＦパルス情報を受信する。シーケンス制御器４０は、選択されたシーケンスをシーケンスメモリ４２から引き出し、選択されたシーケンスを反映するパルスの組み合わせを生じさせるよう傾斜磁場制御器２４とＲＦパルス制御器３４を調整する。コントラスト強調撮像法では、シーケンス制御器はまた、撮像シーケンスの開始を生じさせる。
【００１７】
撮像領域１２への送信時に、ＲＦパルスは傾斜パルスによって選択される双極子を励起し操作する。磁気共鳴信号は、全身ＲＦコイル３０、又は他の局所受信コイルによって検出され、望ましくはディジタルである少なくとも１つの受信器４４によって受信され復調される。受信された磁気共鳴信号は、フーリエ変換又は他の適切な再構成アルゴリズムを適用することによって再構成プロセッサ４６によって再構成され、体積画像メモリ４８に格納される。画像プロセッサ５０は、再構成された画像の選択された部分を引き出し、コンピュータモニタ、アクティブマトリクスモニタ、液晶ディスプレイ等の人間が読み取り可能なディスプレイ５２上にこれらを表示する。
【００１８】
望ましい実施例では、上述の磁気共鳴装置は、被検体１６に対して磁気共鳴血管造影スキャンを行うために用いられる。スキャンの開始の前に、操作者は、年齢、性別、体重、撮像されるべき領域、静脈又は動脈画像等の被検体１６に関する既知の因子をユーザ入力端末６０で入力する。操作者がこの時点で入力する他の因子は、高い又は低い血圧、コレステロール値、及び分かっている閉塞等のすべての分かっている血管の異常である。入力された因子に基づいて、装置は、パラメータ蓄積（ｃｏｍｐｉｌａｔｉｏｎ）メモリ６２を調べ、時間的なトリガウィンドウを検索する。パラメータ蓄積メモリ６２は、夫々がコントラストボーラスの検出に成功した多数の以前のスキャンからのデータを含む。メモリ６２は、被検体に関する入力データを他の同様の患者に対する過去のスキャンからの格納されたデータと比較する。トリガウィンドウプロセッサ６４は、統計的な確率と不確実性と組み合わせた過去の成功したスキャンから、コントラストボーラスが現在の被写体の撮像領域に到達すると予想される時間帯を決定する。
【００１９】
造影剤のボーラス６６は、被検体１６に注入される。望ましい実施例では、同時にリアルタイムボーラス追跡方法が開始される。リアルタイム追跡方法は、上述の背景技術の欄において説明した、例えば蛍光透視画像又は中央ｋ空間信号追跡といった方法のうちの少なくとも１つを含む。任意には、本願では説明しないリアルタイム追跡法が使用される。
【００２０】
図２を参照し、引き続き図１を参照するに、磁気共鳴装置は、ボーラス検出回路７１で関心領域１２中のボーラスの到達を検出する７０。検出回路７１は、中央ｋ空間追跡技術で受信器の出力を監視する。蛍光透視検出技術では、再構成プロセッサは、検出回路７１が分析する蛍光透視画像を発生する。他の検出回路形態及び配置は、検出技術に適したものであると考えられる。確認段階７２は、ボーラスの検出を確認する。確認回路７２が、ボーラス６６の検出が成功したと判定すると、トリガウィンドウプロセッサ６４に通知され、パラメータ蓄積メモリ６２が更新される７４。被検体の入力されたパラメータ（例えば体重、年齢等）は、ボーラス移動時間中の重要な中間地点とともに格納される。ボーラスが関心領域へ到達したことを示す時間（検出時間）ｔDが記録される。適切な場合は、関心領域中の動脈中の造影剤濃度のピーク、即ち動脈位相、を示す時間ｔAが記録される。関心領域中の静脈中のピーク造影剤濃度、即ち最適静脈撮像位相、を示す時間ｔVが記録される。
【００２１】
重要な時間ｔD，ｔA，及びｔVは、被検体１６の入力されたパラメータとともにパラメータ蓄積メモリ６２に加えられ、システムは「より賢くなる」。スキャンが成功するたびに、システムは将来のスキャンのボーラス移動時間を予測するために用いられるより多くの情報を得る。
【００２２】
ボーラス検出が、トリガウインドウが開始する前にトリガされる場合は、撮像の開始は阻止され、ボーラス到達についての監視が続けられる。望ましい実施例では、システムは、トリガウィンドウが開始したときに警告又は信号を与える。トリガウィンドウ内の任意の時間において、操作者は診断スキャンを手動で開始しうる。ボーラスが検出されず、操作者が手動でスキャンを開始しない場合は、トリガウィンドウプロセッサは、トリガウィンドウの終端において撮像シーケンスを自動的に開始する。
【００２３】
トリガ方法にかかわらず、磁気共鳴血管造影撮像スキャンは、データ収集段階７６中に行われ、画像は再構成プロセッサ４６によって再構成される。幾つかのリアルタイムボーラス追跡方法は、全ての値ｔD，ｔA，及びｔVを取得しない。例えば、ｋ空間強度監視は、時間ｔDのみを与える。全ての重要な時間が診断スキャンの前に取得されない場合、他の時間と、任意に、閉塞の位置等の他の情報を決定するために画像解析器７８によって再構成された画像データに対して後患者解析が行われる。
【００２４】
システムは、それ自体のスキャンの成功に加えて、他のシステムとリンクすることによって「学習」もする。望ましい実施例では、システムは同様のシステムのパラメータ蓄積メモリにアクセスし、情報をダウンロードし、これをそれ自身のパラメータ蓄積メモリに統合する。望ましい実施例では、同様のシステムがネットワーク接続され、定期的な統合は、例えば毎晩、行われる。或いは、２つ又はそれ以上のシステムが共通のメモリを共用し更新する。或いは、ＣＤ又は他の同様の記憶装置が、蓄積された情報を他のシステムへ転送するために用いられる。また、類似していないシステムがリンクされることが考えられる。例えば、ＣＴスキャナに対して同様のボーラス追跡実験が行われる。重要な取り込み時間を含むＣＴスキャナからのメモリデータベースは、望ましい実施例のＭＲシステムへ転送され統合される。これは、造影剤の循環が、特定の撮像態様ではなくむしろ、患者の生理的状態に依存するために可能である。
【００２５】
ＭＲＩスキャンにおいて正確なタイミングウィンドウを得るための更なる指針として、造影剤なしに付随的なパイロットスキャン８０が行われる。パイロットスキャンでは、診断スキャンのために提案される関心領域中の考えられうる閉塞又は異常を目立たせるシーケンスが選択される。画像プロセッサ７８又は操作者は、パラメータ蓄積メモリのデータベース中に入力された被検体プロファイルに含めるために、全てのかかる異常を識別する。例えば、パイロットスキャンは、３５歳の２１０ポンド（約９５キログラム）の男性の患者の大動脈の部分的な閉塞を検出する。このデータは、閉塞のない同様の患者のデータとは別に分類整理される。つまり、システムがスキャンの前に有している患者の健康に関する情報が多ければ多いほど、正確なボーラス移動時間を予測することがより適切となる。
【００２６】
本発明の他の面によれば、診断プロセッサ８２は、被検体から得られる重要な時間をパラメータ蓄積メモリ中の履歴データと比較し、診断提案の表示を発生させる。診断スキャンは上述のように行われ、測定された重要な時間ｔD，ｔA，及びｔVは同様の患者プロファイルを持つ過去の患者のものと比較される。現在の患者の値ｔD，ｔA，及びｔVが同様の患者のメジアンから大きく異なるとき、メジアンから同様の偏差を有するそれ以外は同様の患者が識別され、その患者たちの診断が検索される。３つの時間ｔD，ｔA，及びｔVが予想されるよりもはるかに遅く生ずる場合、これは関心領域の上流に部分的な閉塞があることを示唆する。ｔDとｔAが普通であり、ｔVが遅れるときは、静脈中に閉塞があることが示唆される、等である。
【００２７】
他の望ましい実施例では、図３を参照するに、ダイナミック取り込み（ｕｐｔａｋｅ）検査を行うためにコンピュータ断層撮影スキャナが用いられる。被検体は、スキャナの撮像領域９０内に配置される。第３世代及び第４世代のスキャナでは、源９２において発生されたＸ線は、コリメータ９４によってファンビームへと合焦され、撮像領域を通る。第３世代（回転−回転）スキャナでは、検出器アレイ９６は、撮像領域９０を通過したＸ線を検出する。第４世代（回転−固定）スキャナでは、個々の検出器９８は外側ガントリに並び、ファンビームが当たっている間、Ｘ線を検出する。検出されたＸ線からのデータ線又はデータセットは、データメモリ１００の中に収集され、データメモリから再構成される。再構成プロセッサ１０２は、データセットを画像メモリ１０４に格納されるデータ表現へ再構成する。画像プロセッサ１０６は、画像表現の選択された部分を引き出し、これらを人間が読み取り可能なディスプレイ１０８上で見るためにフォーマットする。
【００２８】
望ましいＣＴ実施例では、被検体に造影剤が注入され、蛍光透視スキャンモードが回避される。より低い解像度の蛍光透視ＣＴ画像が再構成され、画像メモリ１０４中に格納される。望ましくは、再構成プロセッサは、ファンビームの各回転のたびに完全な新しい画像を再構成するのではない。望ましくは、再構成プロセッサは、最も最近に収集された１８０°にデータセットのファン角度を加えたものを再構成する。このようにして、画像は、各データセットが実質的にリアルタイムの撮像のために収集されるにつれて更新される。造影剤ボーラス検出回路１１０は、再構成された画像の選択された領域を造影剤の到達を示す変化について監視する。ＣＴ造影剤は、一般的には血管のコントラストを高めるため、領域は一般的には明るくなる。或いは、検出回路１１０は、明るくするために各データセットの選択された部分を監視する。関心領域が一旦選択されると、選択された解剖学的な領域を横切る各サンプリング角度におけるファンビームの部分は容易に計算され、この部分は造影剤の到達を示す変化について監視される。
【００２９】
トリガウィンドウプロセッサ１１２は、上述のように検出回路からの信号又は履歴データ蓄積メモリ１１４からのデフォルトパラメータに基づいて、スキャンモードを蛍光透視モードから高解像度放射線スパイラル撮像モード等の選択された撮像モードへ変化させる。望ましくは、履歴メモリは、上述のようにユーザ入力１１６によって、又は画像分析プロセッサ１１８によって更新される。診断プロセッサ１２０は、上述のように、スキャン結果を履歴スキャン結果と比較し、対応する診断を検索する。
【００３０】
上述の方法及び装置は、ディジタルＸ線、デュアル同位体ＳＰＥＣＴ又はＰＥＴ撮像等といった他の撮像態様にも適用可能であることが認められるべきである。
【図面の簡単な説明】
【００３１】
【図１】本発明による磁気共鳴血管造影スキャンを行う磁気共鳴装置を示す図である。
【図２】本発明による画像生成及びメモリ更新処理を示すフローチャートである。
【図３】本発明による血管造影操作を行うためのコンピュータ断層撮影（ＣＴ）実施例を示す図である。
【図１】
2004538080.tif 000003
【図２】
2004538080.tif 000004
【図３】
2004538080.tif 000005
【国際公開パンフレット】
2004538080.tif 000006
2004538080.tif 000007
2004538080.tif 000008
2004538080.tif 000009
2004538080.tif 000010
2004538080.tif 000011
2004538080.tif 000012
2004538080.tif 000013
2004538080.tif 000014
2004538080.tif 000015
2004538080.tif 000016
2004538080.tif 000017
2004538080.tif 000018
2004538080.tif 000019
2004538080.tif 000020
2004538080.tif 000021
2004538080.tif 000022
2004538080.tif 000023
2004538080.tif 000024
【国際調査報告】
2004538080.tif 000025
2004538080.tif 000026
2004538080.tif 000027